(57)【要約】【課題】第１に、趣味感・面白み・トリックアート効果に優れると共に、第２に、しかもこれが簡単容易に実現され、重量面，取付性，外観面，コスト面等にも優れ、第３に、絵画，その他の画像体の損傷，汚れが防止され、間接照明効果も期待できる、トリックアート額縁を提案する。【解決手段】このトリックアート額縁１は、紫外線灯を内蔵すると共に、紫外線発光部分Ａ付の絵画等の画像体Ｂを、閲覧用に収納してなる。紫外線発光部分Ａは、紫外線の照射により可視光を発光，反射する塗料やインクが、画像体Ｂに部分的に施された構造よりなる。画像体Ｂは、紫外線発光部分Ａが自然光では視認しにくい、絵画，ポスター，写真，印刷物，又は複写物等よりなる。更に、このトリックアート額縁１は、内側が開口された凹溝部が周設された構造のフレーム枠３と、透明板４と、裏板５とを有している。【選択図】図１
2006034321.tif 000002
【特許請求の範囲】
【請求項１】
紫外線灯を内蔵すると共に、紫外線発光部分付の絵画等の画像体を閲覧用に収納してなること、を特徴とするトリックアート額縁。
【請求項２】
請求項１に記載したトリックアート額縁であって、該画像体の該紫外線発光部分は、紫外線の照射により可視光を発光，反射する塗料やインクが、該画像体に部分的に施された構造よりなり、該画像体は、該紫外線発光部分が自然光では視認しにくい、絵画，ポスター，写真，印刷物，又は複写物等よりなり、
更に、内側が開口された凹溝部が周設された構造のフレーム枠と、該フレーム枠の凹溝部内に配設され紫外線を照射可能な直線棒状の該紫外線灯と、
該フレーム枠の前面に取り付けられた透明板と、該フレーム枠の背面に取り付けられ該画像体を保持する裏板と、該フレーム枠と該透明板と該裏板間に形成された内部空間と、を有していること、を特徴とするトリックアート額縁。
【請求項３】
請求項２に記載したトリックアート額縁であって、該画像体は、該紫外線灯が点灯され、該紫外線発光部分が発光され視認されて認識される画像イメージと、該紫外線灯が消灯され、該紫外線発光部分が発光されず視認されずに認識される画像イメージとが、全体印象を異にすること、を特徴とするトリックアート額縁。
【請求項４】
請求項３に記載したトリックアート額縁において、該紫外線灯への通電部に制御手段が付設されており、
該制御手段は、該紫外線灯への通電のオンオフ，電力値，時間等を制御可能であり、該制御手段により該紫外線灯は、点灯と消灯を一定時間で繰り返すパターンと、点灯初期に照明度を徐々に増大させるパターンと、点灯時に照明度を一定に維持するパターンと、点灯終期に照明度を徐々に減衰させるパターン等、各種の照明パターンを選択的に組み合わせることが可能となっていること、を特徴とするトリックアート額縁。
【請求項５】
請求項３又は請求項４に記載したトリックアート額縁において、該紫外線灯と組み合わせて反射板が用いられており、
該反射板は、該フレーム枠の凹溝部内に配設されると共に、該紫外線灯の背面スペース、又は該紫外線灯が配設されていないスペースに配設されており、該紫外線発光部分の発光状態にエリア的な強弱，濃淡，インパクト，ぼかし等を付与すること、を特徴とするトリックアート額縁。
【請求項６】
請求項５に記載したトリックアート額縁において、該反射板は、該紫外線灯より若干大き目の直線長板状をなし、該画像体に対し直角より傾斜して配設されていること、を特徴とするトリックアート額縁。
【発明の詳細な説明】
【技術分野】
【０００１】
本発明は、トリックアート額縁に関する。すなわち、絵画，ポスター，写真，印刷物，又は複写物等の画像体を、閲覧用に収納するトリックアート額縁に関する。
【背景技術】
【０００２】
絵画，ポスター，写真，印刷物等を閲覧用に収納する額縁として、まず、白熱灯やＬＥＤ等の可視光線の光源を、内部に内蔵した従来技術（以下単に従来技術１という）が、知られている。すなわち、絵画等を例えば白熱灯にて背後等からバックライト，ライトアップする額縁は、従来より知られている。
このような可視光線の光源付の額縁の従来技術１としては、例えば次の特許文献１，２，３，４等中に示されたものが挙げられる。
【特許文献１】特開２００１−１７２９１号公報
【特許文献２】特開平１０−１７９３５１号公報
【特許文献３】特許第２８７９０１２号公報
【特許文献４】特開２００２−１３６４０３号公報
【０００３】
他方、絵画等を閲覧用に収納する額縁として、白熱灯と紫外線灯を、照明装置として外部付設した従来技術（以下単に従来技術２という）も存在した。
すなわち、点灯消灯制御される白熱灯と常時点灯している紫外線灯とを備えた照明装置を、額縁の前面上部付近に外部付設し、もって、紫外線照射により発光する特殊塗料が部分的に施された絵画等が、白熱灯の点灯時と消灯時とで、画像イメージが異なるようにした（絵画等の特殊塗料部分は、白熱灯点灯時は見えにくくて視認されない）従来技術２も、存在していた。このような従来技術２としては、次の特許文献５中に示されたものが挙げられる。
【特許文献５】特許第２８８０４７６号公報
【発明の開示】
【発明が解決しようとする課題】
【０００４】
ところで、このような従来技術の額縁については、次の問題が指摘されていた。
第１に、絵画等を白熱灯等にてバックライト，ライトアップする、前述した従来技術１については、趣味感・面白み・トリックアート効果面が不足している、という指摘があった。
すなわち、この従来技術１の額縁は、納められた絵画等を、周囲からクローズアップする程度の作用効果は期待できるが、認識される画像イメージ自体に時間等での変化がなく、同一画像イメージを平板的にクローズアップするに過ぎない。看者に面白みを与えて、トリック感や趣味感に訴える要素は低かった。
【０００５】
第２に、特殊塗料付の絵画等の額縁に、点灯制御される白熱灯と常時点灯される紫外線灯を、照明装置として外部付設した、前述した従来技術２については、構成の複雑さ，重量面，取付性，外観面，コスト面，故障面等において、問題が指摘されていた。
すなわち、この従来技術２では、白熱灯と紫外線灯付の照明装置を、額縁の前面上部付近に付設するので、構成が複雑であり、その分だけ重量が重く、壁等に取付けても常に落下の危険が付きまとう。もって、取付けに手間と工数がかかることが多く、取付け場所が制約されることもある。
例え安全に取付けられたとしても、額縁の前面上部付近に照明装置が突出しているので、外観が損なわれるという声や、閲覧の邪魔となるという問題もあった。又、構成が複雑化するので、その分だけコスト高であり、故障も多い、という問題も指摘されていた。
【０００６】
第３に、更に従来技術２については、絵画等の損傷，汚れ易さや、間接照明効果面等においても、問題が指摘されていた。
すなわち、この従来技術２では、外部付設された照明装置の紫外線灯や白熱灯にて、額縁内に収納された絵画等を照射する。そこで中間に、もしもガラス等の透明板を介在させると、反射により画像イメージが劣化・低下してしまう。
もって、この額縁では、絵画等の表面側を覆うガラス等の透明板は使用されず、収納された絵画等が外部に直接露出した状態にあり、傷等の損傷の虞や、飲食店内使用によるタバコのヤニ等による汚れ等が、問題化していた。
又、照明装置が外部付設されているので、どうしても直接照明が反射したり漏れてしまい、室内が暗いレストラン，クラブ，その他で、間接照明として使用した場合、うまく行かないという指摘もあった。つまり、ピクチャーライト的使用には、多々問題が生じていた。
【０００７】
本発明のトリックアート額縁は、このような実情に鑑み、上記従来技術の課題を解決すべく、発明者の鋭意研究努力の結果なされたものである。
そして、所定のフレーム枠，透明板，裏板等を備えてなると共に、紫外線灯を内蔵し、紫外線発光部分付の絵画，その他の画像体を収納してなること、を特徴とする。更に、通電の制御手段や反射板を組み合わせたこと、を特徴とする。
もって本発明は、第１に、趣味感・面白み・トリックアート効果に優れると共に、第２に、しかもこれが簡単容易に実現され、重量面，取付性，外観面，コスト面等にも優れ、第３に、絵画，その他の画像体の損傷，汚れが防止され、間接照明効果も期待できる、トリックアート額縁を提案すること、を目的とする。
【課題を解決するための手段】
【０００８】
《各請求項について》
このような課題を解決する本発明の技術的手段は、次のとおりである。まず、請求項１については次のとおり。
請求項１のトリックアート額縁は、紫外線灯を内蔵すると共に、紫外線発光部分付の絵画等の画像体を、閲覧用に収納してなること、を特徴とする。
請求項２については次のとおり。請求項２のトリックアート額縁は、請求項１において、該画像体の該紫外線発光部分は、紫外線の照射により可視光を発光，反射する塗料やインクが、該画像体に部分的に施された構造よりなる。そして該画像体は、該紫外線発光部分が自然光では視認しにくい、絵画，ポスター，写真，印刷物，又は複写物等よりなる。
更に、このトリックアート額縁は、内側が開口された凹溝部が周設された構造のフレーム枠と、該フレーム枠の凹溝部内に配設され、紫外線を照射可能な直線棒状の該紫外線灯と、該フレーム枠の前面に取り付けられた透明板と、該フレーム枠の背面に取り付けられ該画像体を保持する裏板と、該フレーム枠と該透明板と該裏板間に形成された内部空間と、を有していること、を特徴とする。
【０００９】
請求項３については次のとおり。請求項３のトリックアート額縁は、請求項２において、該画像体は、該紫外線灯が点灯され、該紫外線発光部分が発光され視認されて認識される画像イメージと、該紫外線灯が消灯され、該紫外線発光部分が発光されず視認されずに認識される画像イメージとが、全体印象を異にすること、を特徴とする。
請求項４については次のとおり。請求項４のトリックアート額縁は、請求項３において、該紫外線灯への通電部に制御手段が付設されている。
そして該制御手段は、該紫外線灯への通電のオンオフ，電力値，時間等を制御可能であり、該制御手段により該紫外線灯は、点灯と消灯を一定時間で繰り返すパターンと、点灯初期に照明度を徐々に増大させるパターンと、点灯時に照明度を一定に維持するパターンと、点灯終期に照明度を徐々に減衰させるパターン等、各種の照明パターンを選択的に組み合わせることが可能となっていること、を特徴とする。
請求項５については次のとおり。請求項５のトリックアート額縁は、請求項３又は請求項４において、該紫外線灯と組み合わせて反射板が用いられている。
そして該反射板は、該フレーム枠の凹溝部内に配設されると共に、該紫外線灯の背面スペース、又は該紫外線灯が配設されていないスペースに配設されており、該紫外線発光部分の発光状態にエリア的な強弱，濃淡，インパクト，ぼかし等を付与すること、を特徴とする。
請求項６については次のとおり。請求項６のトリックアート額縁は、請求項５において、該反射板は、該紫外線灯より若干大き目の直線長板状をなし、該画像体に対し直角より傾斜して配設されていること、を特徴とする。
【００１０】
《作用について》
本発明のトリックアート額縁は、このようになっているので、次のようになる。
（１）このトリックアート額縁は、凹溝部が周設されたフレーム枠に、透明板と裏板を取り付けると共に、紫外線灯が配設，内蔵されている。裏板にて保持され閲覧される絵画，その他の画像体は、自然光では視認しにくい紫外線発光部分を、部分的に備えている。
（２）そして、紫外線灯の消灯状態において、画像体は、紫外線発光部分が発光されず、それ以外の部分が自然光（含む室内照明）にて視認され、もって特定の画像イメージとして認識される。
（３）これに対し、紫外線灯の点灯状態において、画像体は、紫外線発光部分が発光され輝いて印象的に視認され、それ以外の部分は、自然光にて視認可能ではあるがウエートが低く、微かに視認される程度ともなる。もって画像体は、紫外線灯の消灯状態の画像イメージとは、異なった別の画像イメージとして認識される。
【００１１】
（４）ところで、このトリックアート額縁については、次の制御手段を付設することが考えられる。すなわち、この制御手段は、紫外線灯への通電のオンオフ，電力値，時間等を制御可能であり、もって紫外線灯は、点灯消灯の繰り返しパターンと、照明度の増大パターンと、照明度の維持パターンと、照明度の減衰パターンとを、選択的に組み合わせ可能となる。
そして、このような制御により、認識される画像体の画像イメージが、繰り返し変化すると共に、強弱，濃淡，インパクト，ぼかし等の時間的変化も付与され、もって、時間的グラデーション効果が発揮される。
（５）更に、次の反射板を用いることが考えられる。すなわち、この反射板は、フレーム枠の凹溝内で、紫外線灯の背面スペースや、紫外線灯の配設されない他スペースに配設され、紫外線発光部分の発光状態が、背面スペースの場合は、エリア的により強く，濃く，インパクトが加わり、他スペースの場合は、エリア的に弱く，淡く，ぼかしが付与される。
そこで、画像体の画像に応じ、フレーム枠の各凹溝内について、Ａ．紫外線灯のみを配設する、Ｂ．反射板付の紫外線灯を配設する、Ｃ．反射板のみを配設する、Ｄ．紫外線灯も反射板も配設しない、等を適宜選択的に採用することにより、画像体の画像イメージに、エリア的に強弱，濃淡，インパクト，ぼかし等が付与され、もって、エリア的グラデーション効果が発揮される。
なお、このエリア的グラデーション効果は、反射板を傾斜させることにより、より顕著化される。又、この効果は、時間的グラデーション効果と組み合わせると、より効果的である。
【００１２】
（６）さてそこで、このトリックアート額縁は、次のようになる。第１に、画像体は、紫外線灯の点灯状態と消灯状態で、異なった画像イメージとして認識され、更に、時間的グラデーション効果やエリア的グラデーション効果も付加されるので、趣味感・面白み・トリックアート効果に優れている。
（７）第２に、フレーム枠に紫外線灯や反射板を配設すると共に、透明板や裏板を取り付けてなり、制御手段が適宜付加される。このように簡単な構成よりなり、重量も軽く、取り付けも容易で、外観も一般的額縁と変わりなく、製造コストにも優れている。反射板を採用すると、電気代を低減可能であり、維持コスト面にも優れるている。
（８）第３に、紫外線灯が、照明対象の画像体と共に内部に収納され、外部との間が透明板で遮断されているので、画像体が保護され、損傷や汚れが防止される。又、紫外線灯はフレーム枠の凹溝部内に内蔵されているので、紫外線発光部分の発光，輝きにより、間接照明用としても使用可能である。
【発明の効果】
【００１３】
本発明のトリックアート額縁は、以上説明したように、所定のフレーム枠，透明板，裏板等を備えてなると共に、紫外線灯を内蔵し、紫外線発光部分付の絵画，その他の画像体を収納してなること、を特徴とする。更に、通電の制御手段や反射板を組み合わせたこと、を特徴とする。
そこで、本発明のトリックアート額縁は、次の第１，第２，第３の効果を発揮する。
【００１４】
第１に、趣味感・面白み・トリックアート効果に、優れている。すなわち、本発明のトリックアート額縁は、紫外線灯が点灯され、紫外線発光部分が発光されて認識される画像体の画像イメージと、紫外線灯が消灯され、紫外線発光部分が視認されないで認識される画像体の画像イメージとが、全体印象を大きく異にする。つまり、時間的に看取される画像イメージが変化する。
更に、制御手段にて紫外線灯を制御することにより、画像イメージについて、時間的グラデーション効果も加わる。更に、紫外線灯と組み合わせて反射板を採用すると、エリア的グラデーション効果も加わる。
本発明のトリックアート額縁は、このように、看取される画像イメージが時間的に変化し、更に時間面やエリア面でのグラデーション効果も加わるので、単にバックライト，ライトアップするだけの前述したこの種従来技術の額縁に比し、ファンタスティックな変化や幻想感を楽しむことができ、趣味感・面白み・トリックアート効果に優れている。
【００１５】
第２に、しかもこれは簡単容易に実現され、重量面，取付性，外観面，コスト面等に優れている。すなわち、本発明のトリックアート額縁は、透明板や裏板付のフレーム枠に紫外線灯を内蔵した、簡単容易な構成よりなる。又、制御手段や反射板の採用も、簡単容易に実現可能である。
そこで、白熱灯と紫外線灯の照明装置を外部付設した、前述したこの種従来技術の額縁に比し、重量が大きく軽減され、取り付けられた壁等からの落下の危険も少なく、取付け方法や取付け場所等の制約も、少なくなる。
そして、このトリックアート額縁は壁等に取り付けたまま、絵画等の画像体だけの取替えも容易であり、各種画像内容の画像体を、季節やＴ．Ｐ．Ｏ．に合わせて取替えて楽しむことも容易である。
又、額縁の外部に突出するものがなく、もって外観が損なわれたり、閲覧の邪魔となったりすることもない。更に、構成が簡単化された分だけ、コスト面にも優れており、故障不安も解消される。なお、反射板を採用した場合は電気代が安くなり、この面からもコスト面に優れている。
【００１６】
第３に、絵画，その他の画像体の損傷，汚れも防止される。すなわち、本発明のトリックアート額縁では、紫外線灯や絵画等の画像体が内部に収納され、外部との間には透明板が配設されている。
従って、照明装置を外部付設していた前述したこの種従来技術のように、反射の虞なく透明板を採用することができ、もって絵画等の画像体について、例えばイタズラ等による傷等、損傷発生が防止されると共に、飲食店内使用によるタバコのヤニ等による汚れも防止される。
更に、本発明のトリックアート額縁は、白熱灯等の照明装置を外部付設している訳ではなく、画像体の紫外線発光部分が発光して輝くので、室内が暗いレストラン，クラブ，その他において、間接照明としても使用可能である。つまり、ピクチャーライト的使用も可能である。
このように、この種従来例に存した課題がすべて解決される等、本発明の発揮する効果は、顕著にして大なるものがある。
【発明を実施するための最良の形態】
【００１７】
《図面について》
以下、本発明のトリックアート額縁を、図面に示した発明を実施するための最良の形態に基づいて、詳細に説明する。図１，図２，図３，図４，図５等は、本発明を実施するための最良の形態の説明に供する。
そして図１は、その１例の正面図であり、（１）図は、紫外線灯が消灯された状態の画像イメージを示し、（２）図は、紫外線灯が点灯された状態の画像イメージを示す。図２の（１）図は、同１例の正断面図、（２）図は背面図である。図３の（１）図は、同１例の側断面図、（２）図は、正断面概略図である。図３の（３）図は、他の例の正断面概略図である。
図４は、反射板を使用した例の正断面概略図であり、（１）図は第１例、（２）図は第２例、（３）図は第３例、（４）図は第４例、（５）図は第５例、（６）図は第６例を示す。図５の（１）図は、制御手段，その他のブロック図である。図５の（２）図は、照明パターンの第１例のグラフ、（３）図は、同第２例のグラフ、（４）図は、同第３例のグラフである。
【００１８】
《構成等について》
このトリックアート額縁１は、紫外線灯２を内蔵すると共に、紫外線発光部分Ａ付の絵画等の画像体Ｂを、閲覧用に収納してなる。
すなわち、このトリックアート額縁１は、フレーム枠３，透明板４，裏板５，内部空間Ｓ，紫外線灯２，画像体Ｂ、等を備えている。以下、これらについて詳述する。
【００１９】
まず、図１，図３の（１）図等に示したように、フレーム枠３は、内側が開口された凹溝部６が、周設された構造よりなる。すなわち、額縁本体であるフレーム枠３は、凹溝部６を枠状に周設した構造よりなり、凹溝部６は、内側つまり内部空間Ｓ側に開口を向けて配設され、表面に断熱シートが貼着されている。
フレーム枠３の前面には、図１，図３の（１）図等に示したように、透明板４が取り付けられている。この透明板４は、例えば透明アクリル板やガラス板よりなり、その周端部が、フレーム枠３の周端部前面に取り付けられている。
又、図１，図２の（２）図，図３の（１）図等に示したように、フレーム枠３の背面には、裏板５が取り付けられている。この裏板５は、光を透過しないむく板状をなし、その周端部が、フレーム枠３の周端部背面に取り付けられている。そして、この裏板５のマットが貼着された表面側に、画像体Ｂが当接，保持されている。
又、図３の（１）図に示したように、このような周囲のフレーム枠３と、前面側の透明板４と、背面側の裏板５とにより、内部空間Ｓが囲まれて形成されている。
【００２０】
次に紫外線灯２は、直線棒状をなし、紫外線を照射可能であり、フレーム枠３の上下左右の各凹溝部６内について、適宜選択配設されており、合計で単数本又は複数本配設されている。
すなわち紫外線灯２は、ブラックライトとも称され、広く市販されており、その波長が２，０００〜３，８００オングストローム程度の紫外線を、通電により発光，照射可能であり、通常８Ｗ〜１２Ｗ程度のものよりなる。
そして紫外線灯２は、フレーム枠３の凹溝部６内に取り付けられている。取り付け位置や本数の選択は、画像体Ｂの画像内容により、紫外線発光部分Ａの配置にマッチすべく、各種態様が考えられる。
例えば、図２の（１）図，図３の（１）図，（２）図の例、更には図４の（２）図，（５）図，（６）図等の例では、上下の凹溝部６内に各１本の計２本が用いられている。図３の（３）図の例では、左右の凹溝部６内に各１本の計２本が用いられている。図４の（３）図の例では、上と左の凹溝部６内に各１本の計２本が用いられている。図４の（１）図，（４）図の例では、上の凹溝部６内に１本用いられている。
【００２１】
次に画像体Ｂは、絵画，ボスター，写真，印刷物，又は複写物等よりなり、紫外線発光部分Ａが、部分的に施された構造よりなる。
この画像体Ｂの紫外線発光部分Ａは、紫外線の照射により可視光を発光，蛍光，反射する塗料やインクが、部分的に施された構造よりなり、紫外線より波長の長い自然光によっては視認しにくい状態にある。
【００２２】
このような紫外線発光部分Ａ付の画像体Ｂについて、更に詳述する。まず、紫外線発光部分Ａを形成する塗料やインクは、広く知られており、例えば、ブラックライト対応の特殊蛍光顔料入り塗料や、水性や油性の透明反射発光塗料として、市販されている。又、このような紫外線発光部分Ａ付の画像体Ｂとして、絵画も市販されている。
次に、この紫外線発光部分Ａを画像体Ｂの一部に施す態様としては、各種考えられる。例えば、図１，図２に示した絵画では、星，月，ビルの窓，灯台のライト，車の窓内やライト等が、紫外線発光部分Ａとなっている。これに対し、同図では太陽，ビル，山，木，車，灯台，海岸，海，舟等が、通常塗料を用いて表わされている。
その他例えば、通常塗料を用いて木の幹と枝を描き、花のみを紫外線発光部分Ａとした例、通常塗料を用いて歌手像を描き、代表作の歌詞や音符を紫外線発光部分Ａとした例、通常塗料を用いてローソクを描きローソクの火を紫外線発光部分Ａとした例、等々各種のアイデアを盛り込むことが考えられる。
【００２３】
いずれにしても、このトリックアート額縁１では、画像体Ｂは、紫外線灯２が点灯され、紫外線発光部分Ａが発光され視認されて認識される画像イメージＣと、紫外線灯２が消灯され、紫外線発光部分Ａが発光されず視認されずに認識される画像イメージＤとが、全体印象を異にする。
例えば図１の例では、図１の（１）図の画像イメージＤは、昼間の風景として認識されるのに対し、図１の（２）図の画像イメージＣは、夜間の風景として認識される。
又、前述した例では、花の咲いていない木の画像イメージＤと、花の咲いた木の画像イメージＣとが、認識される。又、歌手像の画像イメージＤと、更に歌詞や音符付の画像イメージCとが、認識される。点火されていないローソクの画像イメージDと、点火されたローソク画像イメージDとが、認識される。
【００２４】
次に、制御手段７について述べる。図２の（１）図や図５の（１）図等に示したように、図示のトリックアート額縁１では、紫外線灯２への通電部に制御手段７が付設されている。
そして、この制御手段７は、紫外線灯２への通電のオンオフ，電力値，時間等を制御可能であり、制御手段７により紫外線灯２は、点灯と消灯を一定時間で繰り返すパターンと、点灯初期に照明度を徐々に増大させるパターンと、点灯時に一定照明度を維持するパターンと、点灯終期に照明度を徐々に減衰させるパターン等、各種の照明パターンを選択的に組み合わせることが可能となっている。
【００２５】
このような制御手段７等について、更に詳述する。紫外線灯２は、電源８からの電力により、スイッチ９，制御手段７，ドライバ回路１０（含む安定器１１やグロー１２）等を介して、点灯する。
そして紫外線灯２は、介装された制御手段７（ＣＰＵやメモリ）により、次のプログラム制御が行われるようになっている。
すなわち、Ａ．タイマーを利用した通電のオンオフ制御により、点灯と消灯とを一定時間で（例えば３分間毎に）繰り返すパターン、Ｂ．通電時の電流電圧値の増加制御により、点灯初期に照明度を徐々に増大させるパターン、Ｃ．通電時に電流電圧値を一定制御することにより、照明度を一定に維持するパターン、Ｄ．通電時の電流電圧値の減少制御により、点灯終期に照明度を徐々に減衰させるパターン等、各種の照明パターンを選択的に組み合わせ可能となっている。
【００２６】
図５の（２）図は、上記Ａ，Ｂ，Ｃ，Ｄの照明パターンを併用した例であり、図５の（３）図は、上記Ａ，Ｂ，Ｃの照明パターンを併用した例であり、図５の（４）図は、上記Ａ，Ｃの照明パターンの例を示す。
勿論、各パターンの途中で、例えば通電，点灯をそのまま継続したり、通電遮断，消灯をそのまま継続したりする、一時停止（ポーズ）制御の付加も可能である。又、このような制御手段７を用いず、単に、紫外線灯２を電源８との間のスイッチ９操作のみにて、通電をオンオフさせ点灯消灯させるようにしてもよい。
なお図中、１３はリモコン、１４はその受信部１４である。すなわち、上述した各種通電パターンの選択（含．タイマー時間の設定）は、リモコン１３操作によっても可能となっており、リモコン１３から発信された信号が、受信部１４を介し、制御手段７に送信される。
【００２７】
次に、反射板１５について述べる。図４に示したトリックアート額縁１では、紫外線灯２と組み合わせて、反射板１５が用いられている。
そして反射板１５は、フレーム枠３の凹溝部６内に配設されると共に、紫外線灯２の背面スペース、又は紫外線灯２が配設されていないスペースに配設され、もって紫外線発光部分Ａの発光状態に、エリア的な強弱，濃淡，インパクト，ぼかし等を付与する。
【００２８】
このような反射板１５について、更に詳述する。まず、図４の（４）図，（５）図，（６）図の一部等に示した各例では、フレーム枠３の凹溝部６について、紫外線灯２の背面スペースつまり背後に、紫外線灯２より平面的に若干大き目の直線長板状をなす反射板１５が、配設されている。このような配設例では、紫外線灯２点灯時の紫外線発光部分Ａの発光状態が、より増幅され強力となる。
これに対し、図４の（１）図，（２）図，（３）図，（６）図等の一部等に示した各例では、フレーム枠３の凹溝部６内について、紫外線灯２が配設されていないスペースに、つまり紫外線灯２と離れて反射板１５が配設されている。
このような配設例では、紫外線灯２の点灯時の紫外線発光部分Ａの発光状態が、紫外線灯２に近いエリアと反射板１５に近いエリアとで異なるようになる。つまり、前者の発光状態よりは弱いが何もないよりは強い程度の中間発光状態が後者にて可能となり、弱く，淡く，ぼかしが付与された発光状態が後者により実現される。
【００２９】
なお、反射板１５の凹溝部６における取付姿勢については、次のとおり。垂直面に配された画像体Ｂに対し、直角姿勢で配設してもよいが、直角より鋭角や鈍角をなすように、特に鋭角姿勢の傾斜姿勢で配設するようにしてもよい。又、画像体Ｂに沿った姿勢にも配設可能である。
なお、紫外線灯２の背面スペースに配設される反射板１５の場合、１本の紫外線灯２を後から挟むように傾斜して、２枚の反射板１５を配設したり、１枚の反射板１５を折曲して配設することが考えられる。
【００３０】
《作用等について》
本発明のトリックアート額縁１は、以上説明したように構成されている。そこで、以下のようになる。
（１）このトリックアート額縁１は、フレーム枠３の前面に透明板４を、フレーム枠３の背面に裏板５を取り付けてなり、これらにより内部空間Ｓが形成されている（図３の（１）図等を参照）。
そしてフレーム枠３は、内側が開口された凹溝部６が周設された構造よりなり、凹溝部６内に直線棒状の紫外線灯２が配設され、紫外線を照射可能となっている（図２の（１）図，図３の（１）図等を参照）。
又、裏板５にて画像体Ｂが保持されており、画像体Ｂは、絵画，ポスター，写真，印刷物，又は複写物等よりなり、紫外線発光部分Ａを備えている。紫外線発光部分Ａは、紫外線の照射により可視光を発光，反射する塗料やインクが、画像体Ｂ中に部分的に施された構造よりなり、自然光では視認しにくい（図１等を参照）。
このように、このトリックアート額縁１は、紫外線灯２を内蔵すると共に、紫外線発光部分Ａ付の画像体Ｂを、閲覧用に収納してなる。
【００３１】
（２）そして、まず、紫外線灯２が消灯された状態では、→閲覧に供される画像体Ｂは、紫外線発光部分Ａが、発光されず外部からは視認されず、→画像体Ｂのそれ以外の部分が、自然光（含む室内照明）にて外部から視認される。
→もって画像体Ｂは、外部の閲覧者には、ある特定の画像イメージＤとして認識される（図１の（１）図を参照）。
【００３２】
（３）これに対し、紫外線灯２が点灯された状態では、→閲覧に供される画像体Ｂは、それまで見えなかった紫外線発光部分Ａが、発光されて鮮やかに輝いて浮かび上がり、外部から印象的に視認される。→画像体Ｂのそれ以外の部分も、自然光（含む室内照明）にて外部から視認可能であるが、鮮やかに発光される紫外線発光部分Ａに比しそのウエートが低く視認され、自然光の程度次第では微かに視認される程度ともなる。室内が暗い場合は、殆ど視認不能ともなる。
→もって画像体Ｂは、外部の閲覧者には、別の特定の画像イメージＣとして認識される（図１の（２）図を参照）。つまり、このように紫外線灯２が点灯された状態では、紫外線灯２が消灯された状態で認識された上述した画像イメージＤ（例えば昼間の風景）とは、異なった画像イメージＣ（例えば夜間の風景）として認識される。
【００３３】
（４）ところで、このようなトリックアート額縁１について、紫外線灯２への通電部に、次の制御手段７を付設するようにしてもよい（図５を参照）。
すなわち、この制御手段７は、紫外線灯２への通電のオンオフ，電力値，時間等を制御可能であり、→このような制御手段７により、紫外線灯２は、点灯と消灯を一定時間で繰り返すパターンと、点灯初期に照明度を徐々に増大させるパターンと、点灯時に一定照明度を維持するパターンと、点灯終期に照明度を徐々に減衰させるパターン等、→各種の照明パターンを、選択的に組み合わせることが可能である。
→そして、このトリックアート額縁１では、このような紫外線灯２の制御により、外部の閲覧者に認識される画像体Ｂの画像イメージＣ，Ｄが、紫外線発光部分Ａを中心に、自動的に繰り返し変化する。→これと共に、時間的に変化する強弱，濃淡，インパクト，ぼかし等も付与される。→このようにして、時間的グラデーション効果を発揮可能となる。
図示例では、紫外線灯２消灯時の昼間の風景や、紫外線灯２点灯時（一定照度維持時）の夜間の風景の外に、紫外線灯２点灯，増大時の朝の風景や、紫外線灯２点灯，減衰時の夕方風景の時間的グラデーション効果を楽しむことが可能となる。
【００３４】
（５）更に、このようなトリックアート額縁１について、紫外線灯２と組み合わせて、次の反射板１５を用いるようにしてもよい。
すなわち反射板１５は、フレーム枠３の凹溝部６内について、紫外線灯２の背面スペースに配設されたり、紫外線灯が配設されない他スペースに配設される。→そして、まず背面スペースに配設された場合は（図４の（４）図，（５）図，（６）図の一部を参照）、紫外線発光部分Ａの発光状態が、全体エリア的にも又部分的エリアにも強く，濃く，インパクトが加わる。
これに対し、→他スペースに配設された場合は、反射板１５に対向する紫外線発光部分Ａの発光状態が、エリア的に中間程度に弱く，淡く，ぼかしが付与される（つまり、紫外線灯２に対向する紫外線発光部分Ａのエリアよりはより弱く、何も配設されていない紫外線発光部分Ａのエリアよりは強くなる）。
【００３５】
→これらを念頭に、画像体Ｂの画像内容に応じ（例えば絵画の風景に応じ）、Ａ．画像中のある特定エリアの紫外線発光部分Ａ近くのフレーム枠３凹溝部６内には、紫外線灯２のみを配設する。Ｂ．画像中の他の特定エリアの紫外線発光部分Ａ近くのフレーム枠３凹溝部６内には、反射板１５付の紫外線灯２を配する。Ｃ．画像中の別の特定エリアの紫外線発光部分Ａ近くのフレーム枠３凹溝部６内には、反射板１５のみを配設する。Ｄ．画像中の更に別の特定エリアの紫外線発光部分Ａ近くのフレーム枠３凹溝部６内には、紫外線灯２も反射板１５も配設しない。これらＡ，Ｂ，Ｃ，Ｄを、適宜選択的に採用する。
→そして、このトリックアート額縁１では、このような反射板１５のＡ，Ｂ，Ｃ，Ｄの選択的採用により、外部の閲覧者に認識される画像体の点灯時の画像イメージＣが、紫外線発光部分Ａを中心に、エリア的に強弱，濃淡，インパクト，ぼかし等が付与される。→このように、エリア的グラデーション効果を発揮可能となる。
なお、このような反射板１５によるエリア的グラデーション効果の付加は、反射板１５を画像体Ｂに対し直角より傾斜させて配設することにより、例えば鋭角傾斜させることにより、一層クリアー化され顕著化される。
更に、この反射板１５によるエリア的グラデーション効果の付加を、上述した制御手段７による時間的グラデーション効果の付加と共に、組み合わせて採用すると、グラデーション効果が、相乗的により一層顕著に発揮されるようになる。
【００３６】
（６）さてそこで、このトリックアート額縁１によると、次の第１，第２，第３のようになる。
まず第１に、このトリックアート額縁１に収められた画像体Ｂは、紫外線灯２が点灯された状態と消灯された状態とで、外部の閲覧者に異なった画像イメージＣ，Ｄとして認識される。認識された両画像Ｃ，Ｄは、例えば構図が共通するが、イメージが異なって認識される。
更に、制御手段７による時間的グラデーション効果や、反射板１５によるエリア的グラデーション効果の付加も、考えられる。
これらにより、このトリックアート額縁１は、幻想的で優れた臨場感や意外性を備えており、趣味感・面白み・トリックアート効果に、優れている。
【００３７】
（７）第２に、このトリックアート額縁１は、フレーム枠３を凹溝部６状にして、紫外線灯２更には反射板１５を配設すると共に、フレーム枠３の表裏に、透明板４や裏板５を取り付けてなり、制御手段７が回路的に適宜付加される。
このように、このトリックアート額縁１は、簡単な構成よりなり、もって重量が軽く、取り付けも容易であり、外観も通常の一般的額縁と変わりなく、閲覧に好適である。又、画像体Ｂの取替えも裏板５を外すことにより容易であり、各種の画像体Ｂを適宜取替えて楽しむことも容易に可能である。更に、製造コスト面にも優れている。
なお、反射板１５を採用すると、照明度の割りに電気代を低減可能であり、維持コスト面にも優れるようになる。
【００３８】
（８）第３に、このトリックアート額縁１では、紫外線灯２が、照明対象の絵画，その他の画像体Ｂと共に、内部に内蔵，収納されると共に、内部空間Ｓと外部間が透明板４で遮断されている。つまり、紫外線灯２を外部側ではなく、画像体Ｂと同じ内部空間Ｓ側に配設したので、外部との間に透明板４を設けても、紫外線灯２と画像体Ｂ間での反射の虞はない。
さてそこで、このトリックアート額縁１に収納された絵画，その他の画像体Ｂは、透明板４にて外部から保護されており、傷等の損傷が防止されると共に、タバコの煙等による汚染も防止される。
又、紫外線灯２はフレーム枠３の凹溝部６内に配設されており、外部からは視認不能に内部に完全に内蔵されている。そこで、このトリックアート額縁１は、暗い室内では、紫外線灯２の点灯そして紫外線発光部分Ａの発光，輝きにより、間接照明として使用することも可能である。
【図面の簡単な説明】
【００３９】
【図１】本発明のトリックアート額縁について、発明を実施するための最良の形態の説明に供し、その１例の正面図であり、（１）図は、紫外線灯が消灯された状態の画像イメージを示し、（２）図は、紫外線灯が点灯された状態の画像イメージを示す。
【図２】同発明を実施するための最良の形態の説明に供し、その１例を示し、（１）図は正断面図、（２）図は背面図である。
【図３】同発明を実施するための最良の形態の説明に供し、（１）図は、その１例の側断面図、（２）図は、その１例の正断面概略図、（３）図は、他の例の正断面概略図である。
【図４】同発明を実施するための最良の形態の説明に供し、反射板を使用した例の正断面概略図であり、（１）図は第１例、（２）図は第２例、（３）図は第３例、（４）図は第４例、（５）図は第５例、（６）図は第６例を示す。
【図５】同発明を実施するための最良の形態の説明に供し、（１）図は、制御手段その他のブロック図であり、（２）図は、照明パターンの第１例のグラフ、（３）図は、同第２例のグラフ、（４）図は、同第３例のグラフである。
【符号の説明】
【００４０】
１  トリックアート額縁
２  紫外線灯
３  フレーム枠
４  透明板
５  裏板
６  凹溝部
７  制御手段
８  電源
９  スイッチ
１０  ドライバ回路
１１  安定器
１２  グロー
１３  リモコン
１４  受信部
１５  反射板
Ａ  紫外線発光部分
Ｂ  画像体
Ｃ  画像イメージ
Ｄ  画像イメージ
Ｓ  内部空間
【図１】
2006034321.tif 000003
【図２】
2006034321.tif 000004
【図３】
2006034321.tif 000005
【図４】
2006034321.tif 000006
【図５】
2006034321.tif 000007